Podtech/llm-jp-corpus-v4-ja_patent huggingface dataset:
【手続補正書】
【提出日】平成27年11月5日(2015.11.5)
【手続補正１】
【補正対象書類名】特許請求の範囲
【補正対象項目名】全文
【補正方法】変更
【補正の内容】
【特許請求の範囲】
【請求項１】
シュードモナス属（Ｐｓｅｕｄｏｍｏｎａｓ）ＰｃｒＶに特異的に結合する単離結合分子またはその抗原結合断片であって、結合分子が：
（ａ）配列番号２１６のアミノ酸配列を含む重鎖可変領域（ＶＨ）および配列番号２１７のアミノ酸配列を含む軽鎖可変領域（ＶＬ）を含む抗体またはその抗原結合断片と同一のシュードモナス属（Ｐｓｅｕｄｏｍｏｎａｓ）ＰｃｒＶエピトープに特異的に結合する；
（ｂ）配列番号２１６のアミノ酸配列を含む重鎖可変領域（ＶＨ）および配列番号２１７のアミノ酸配列を含む軽鎖可変領域（ＶＬ）を含む抗体またはその抗原結合断片によるシュードモナス属（Ｐｓｅｕｄｏｍｏｎａｓ）ＰｃｒＶへの結合を競合阻害する；または
（ｃ）（ａ）および（ｂ）の組み合わせ、
である、単離結合分子またはその抗原結合断片。
【請求項２】
請求項１に記載の単離結合分子またはその抗原結合断片であって、以下：
（ａ）ＳＹＡＭＮ（配列番号２１８）を含む重鎖ＣＤＲ１、または１、２、３、もしくは４つの保存アミノ酸置換を含むそのバリアント；ＡＩＴＩＳＧＩＴＡＹＹＴＤＳＶＫＧ（配列番号２１９）を含む重鎖ＣＤＲ２、または１、２、３、もしくは４つの保存アミノ酸置換を含むそのバリアント；およびＥＥＦＬＰＧＴＨＹＹＹＧＭＤＶ（配列番号２２０）を含む重鎖ＣＤＲ３、または１、２、３、もしくは４つの保存アミノ酸置換を含むそのバリアント；
（ｂ）ＲＡＳＱＧＩＲＮＤＬＧ（配列番号２２１）を含む軽鎖ＣＤＲ１、または１、２、３、もしくは４つの保存アミノ酸置換を含むそのバリアント；ＳＡＳＴＬＱＳ（配列番号２２２）を含む軽鎖ＣＤＲ２、または１、２、３、もしくは４つの保存アミノ酸置換を含むそのバリアント；ならびにＬＱＤＹＮＹＰＷＴ（配列番号２２３）を含む軽鎖ＣＤＲ３、または１、２、３、もしくは４つの保存アミノ酸置換を含むそのバリアント；または
（ｃ）（ａ）および（ｂ）の組み合わせ、
を含む、単離結合分子またはその抗原結合断片。
【請求項３】
請求項１に記載の単離結合分子またはその抗原結合断片であって、以下：
（ａ）配列番号２１６に対して少なくとも９０％の配列同一性を有する重鎖可変領域；
（ｂ）配列番号２１７に対して少なくとも９０％の配列同一性を有する軽鎖可変領域；または
（ｃ）（ａ）および（ｂ）の組み合わせ、
を含む、単離結合分子またはその抗原結合断片。
【請求項４】
抗体またはその抗原結合断片を含む、請求項１に記載の単離結合分子またはその抗原結合断片。
【請求項５】
組換え抗体、モノクローナル抗体、キメラ抗体、ヒト化抗体、完全ヒト抗体、二重特異性抗体、またはそれらのいかなる組み合わせである、請求項４に記載の単離結合分子またはその抗原結合断片。
【請求項６】
（ａ）配列番号２１６を含む重鎖可変領域；および
（ｂ）配列番号２１７を含む軽鎖可変領域
を含む、請求項５に記載の結合分子またはその断片。
【請求項７】
シュードモナス属（Ｐｓｅｕｄｏｍｏｎａｓ）Ｐｓｌに結合する結合ドメイン、およびシュードモナス属（Ｐｓｅｕｄｏｍｏｎａｓ）ＰｃｒＶに結合する結合ドメインを含む二重特異性抗体。
【請求項８】
（ａ）Ｐｓｌ結合ドメインが、ｓｃＦｖ断片を含み、ＰｃｒＶ結合ドメインが、インタクトな免疫グロブリンを含む、または、
（ｂ）Ｐｓｌ結合ドメインが、インタクトな免疫グロブリンを含み、ＰｃｒＶ結合ドメインが、ｓｃＦｖ断片を含む、
請求項７に記載の二重特異性抗体。
【請求項９】
（ａ）ｓｃＦｖが、インタクトな免疫グロブリンのＶＨ領域のアミノ末端に融合される；
（ｂ）ｓｃＦｖが、インタクトな免疫グロブリンのＣＨ３領域のカルボキシ末端に融合される；または
（ｃ）ｓｃＦｖが、インタクトな免疫グロブリンのヒンジ領域に挿入される、
請求項８に記載の二重特異性抗体。
【請求項１０】
抗Ｐｓｌ結合ドメインが：
（ａ）配列番号１１のアミノ酸配列を含むＶＨおよび配列番号１２のアミノ酸配列を含むＶＬを含む抗体またはその抗原結合断片と同一のシュードモナス属（Ｐｓｅｕｄｏｍｏｎａｓ）Ｐｓｌエピトープに結合する；
（ｂ）配列番号１１のアミノ酸配列を含む重鎖可変領域（ＶＨ）および配列番号１２のアミノ酸配列を含む軽鎖可変領域（ＶＬ）を含む抗体またはその抗原結合断片によるシュードモナス属（Ｐｓｅｕｄｏｍｏｎａｓ）Ｐｓｌへの結合を競合阻害できる；または
（ｃ）（ａ）および（ｂ）の組み合わせ、
である、請求項７に記載の二重特異性抗体。
【請求項１１】
抗ＰｃｒＶ結合ドメインが：
（ａ）配列番号２１６のアミノ酸配列を含むＶＨおよび配列番号２１７のアミノ酸配列を含むＶＬを含む抗体またはその抗原結合断片と同一のシュードモナス属（Ｐｓｅｕｄｏｍｏｎａｓ）ＰｃｒＶエピトープに結合する；
（ｂ）配列番号２１６のアミノ酸配列を含むＶＨおよび配列番号２１７のアミノ酸配列を含むＶＬを含む抗体またはその抗原結合断片によるシュードモナス属（Ｐｓｅｕｄｏｍｏｎａｓ）ＰｃｒＶへの結合を競合阻止できる；または
（ｃ）（ａ）および（ｂ）の組み合わせ、
である、請求項７に記載の二重特異性抗体。
【請求項１２】
抗ＰｃｒＶ結合ドメインが、配列番号２１６のアミノ酸配列を含むＶＨおよび配列番号２１７のアミノ酸配列を含むＶＬを含む、請求項１１に記載の二重特異性抗体。
【請求項１３】
抗Ｐｓｌ結合ドメインが、配列番号１１のアミノ酸配列を含むＶＨおよび配列番号１２のアミノ酸配列を含むＶＬを含み、抗ＰｃｒＶ結合ドメインが、配列番号２１６のアミノ酸配列を含むＶＨおよび配列番号２１７のアミノ酸配列を含むＶＬを含む、請求項７に記載の二重特異性抗体。
【請求項１４】
請求項１に記載の結合分子またはその断片、または請求項７に記載の二重特異性抗体またはその断片をコードするポリヌクレオチドを含む単離ポリヌクレオチド分子。
【請求項１５】
請求項１に記載の結合分子またはその断片、または請求項７に記載の二重特異性抗体またはその断片、および薬学的に許容可能な担体を含む組成物。
【請求項１６】
シュードモナス属（Ｐｓｅｕｄｏｍｏｎａｓ）Ｐｓｌに結合する結合ドメインと、シュードモナス属（Ｐｓｅｕｄｏｍｏｎａｓ）ＰｃｒＶに結合する結合ドメインを含む、請求項１５に記載の組成物。
【請求項１７】
シュードモナス属（Ｐｓｅｕｄｏｍｏｎａｓ）感染を予防または治療するための、請求項１５に記載の組成物。
【請求項１８】
請求項１５に記載の組成物を含むキット。
【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
表面多孔質シリカ粒子を製造するためのワンポット法であって、官能基を備えたシリカ前駆物質を、塩基性媒体中で、かつコロイド安定化剤としての親水性ポリマーの存在下で加水分解および縮合して、表面多孔質シリカ粒子を形成する工程を含み、前記表面多孔質シリカ粒子が実質上非多孔質のシリカミクロ粒子を含み、前記ミクロ粒子の表面にシリカナノ粒子が結合される、方法。
【請求項２】
前記官能基がメルカプト基である、請求項１に記載の方法。
【請求項３】
前記前駆物質がメルカプト−シランを含む、請求項２に記載の方法。
【請求項４】
前記メルカプト−シランが、３−メルカプト−プロピル−トリメトキシ−シランを含む、請求項３に記載の方法。
【請求項５】
前記前駆物質がただ一つのシリカ供給源として使用される、請求項１〜４のいずれか一項に記載の方法。
【請求項６】
前記前駆物質の前記加水分解および縮合が、水および有機溶媒を含む媒体中で行われる、請求項１〜５のいずれか一項に記載の方法。
【請求項７】
前記有機溶媒がメタノールを含む、請求項６に記載の方法。
【請求項８】
前記前駆物質の前記加水分解および縮合が、界面活性剤の存在下で行われる、請求項１〜７のいずれか一項に記載の方法。
【請求項９】
前記界面活性剤が第四級アンモニウム界面活性剤を含む、請求項８に記載の方法。
【請求項１０】
前記第四級アンモニウム界面活性剤が、臭化セチルトリメチルアンモニウム（ＣＴＡＢ）および／または塩化セチルトリメチルアンモニウム（ＣＴＡＣ）を含む、請求項９に記載の方法。
【請求項１１】
前記親水性ポリマーが、ポリ（ビニルアルコール）（ＰＶＡ）および／またはポリ（ビニルピロリドン）（ＰＶＰ）を含む、請求項１〜１０のいずれか一項に記載の方法。
【請求項１２】
前記表面多孔質シリカ粒子をか焼する工程をさらに含む、請求項１〜１１のいずれか一項に記載の方法。
【請求項１３】
前記ミクロ粒子のレーザー回折によって測定される平均粒径が、１μｍ〜２０μｍ、好ましくは１μｍ〜１０μｍの範囲であり、前記ナノ粒子の動的レーザー散乱（ＤＬＳ）によって測定される平均粒径が、５００ｎｍ以下である、請求項１〜１２のいずれか一項に記載の方法。
【請求項１４】
前記ミクロ粒子の前記表面に結合した前記ナノ粒子が単層を形成する、請求項１〜１３のいずれか一項に記載の方法。
【請求項１５】
シリカミクロ粒子を含む表面多孔質粒子から作られる、液体クロマトグラフィ用の固定相であって、
前記ミクロ粒子が、その表面に結合したシリカナノ粒子を有し、それによって前記ミクロ粒子を被覆する多孔質シェルを形成し、前記多孔質シェルが、単層の厚さを有することを特徴とする、固定相。
【手続補正２】
【補正対象書類名】明細書
【補正対象項目名】００８４
【補正方法】変更
【補正の内容】
【００８４】
本明細書中で開示した特徴のすべては、そのような特徴および／またはステップの少なくともいずれかが互いに排他的である組合せ以外は、任意の組合せで組み合わせることができる。具体的には、本発明の好ましい特徴は本発明のすべての態様に適用可能であり、任意の組合せで使用することができる。同様に、本質的でない組合せで記述されている特徴は別々に（組合せでなく）使用することができる。
本発明のまた別の態様は、以下のとおりであってもよい。
〔１〕表面多孔質シリカ粒子を製造するためのワンポット法であって、官能基を備えたシリカ前駆物質を加水分解および縮合して表面多孔質シリカ粒子を形成する工程を含み、前記表面多孔質シリカ粒子が実質上非多孔質のシリカミクロ粒子を含み、前記ミクロ粒子の表面にシリカナノ粒子が結合される、方法。
〔２〕前記官能基がメルカプト基である、前記〔１〕に記載の方法。
〔３〕前記前駆物質がメルカプト−シランを含む、前記〔２〕に記載の方法。
〔４〕前記メルカプト−シランが、３−メルカプト−プロピル−トリメトキシ−シランを含む、前記〔３〕に記載の方法。
〔５〕前記前駆物質がただ一つのシリカ供給源として使用される、前記〔１〕〜〔４〕のいずれか一項に記載の方法。
〔６〕前記前駆物質の前記加水分解および縮合が、９〜１１の範囲の出発ｐＨを有する塩基性媒体中で行われる、前記〔１〕〜〔５〕のいずれか一項に記載の方法。
〔７〕前記前駆物質の前記加水分解および縮合が、水および有機溶媒を含む媒体中で行われる、前記〔１〕〜〔６〕のいずれか一項に記載の方法。
〔８〕前記有機溶媒がメタノールを含む、前記〔７〕に記載の方法。
〔９〕前記前駆物質の前記加水分解および縮合が、界面活性剤の存在下で行われる、前記〔１〕〜〔８〕のいずれか一項に記載の方法。
〔１０〕前記界面活性剤が第四級アンモニウム界面活性剤を含む、前記〔９〕に記載の方法。
〔１１〕前記第四級アンモニウム界面活性剤が、臭化セチルトリメチルアンモニウム（ＣＴＡＢ）および／または塩化セチルトリメチルアンモニウム（ＣＴＡＣ）を含む、前記〔１０〕に記載の方法。
〔１２〕前記前駆物質の前記加水分解および縮合が、コロイド安定化剤の存在下で行われる、前記〔１〕〜〔１１〕のいずれか一項に記載の方法。
〔１３〕前記コロイド安定化剤が親水性ポリマーを含む、前記〔１２〕に記載の方法。
〔１４〕前記親水性ポリマーが、ポリ（ビニルアルコール）（ＰＶＡ）および／またはポリ（ビニルピロリドン）（ＰＶＰ）を含む、前記〔１３〕に記載の方法。
〔１５〕前記表面多孔質シリカ粒子をか焼する工程をさらに含む、前記〔１〕〜〔１４〕のいずれか一項に記載の方法。
〔１６〕前記ミクロ粒子のレーザー回折によって測定される平均粒径が、１μｍ〜２０μｍ、好ましくは１μｍ〜１０μｍの範囲である、前記〔１〕〜〔１５〕のいずれか一項に記載の方法。
〔１７〕前記ナノ粒子の動的レーザー散乱（ＤＬＳ）によって測定される平均粒径が、５００ｎｍ以下である、前記〔１〕〜〔１６〕のいずれか一項に記載の方法。
〔１８〕非局所密度汎関数理論（ＤＦＴ）によって計算される前記表面多孔質粒子の細孔径が２ｎｍ未満である、前記〔１〕〜〔１７〕のいずれか一項に記載の方法。
〔１９〕前記ミクロ粒子の前記表面に結合した前記ナノ粒子が単層を形成する、前記〔１〕〜〔１８〕のいずれか一項に記載の方法。
〔２０〕前記〔１〕〜〔１９〕のいずれか一項に記載の方法によって得られる、表面多孔質粒子。
〔２１〕球体上球体の形態を有し、かつシリカナノ粒子によって被覆された実質上非多孔質のシリカミクロ粒子を含む、表面多孔質シリカ粒子。
〔２２〕前記シリカミクロ粒子の粒径が１μｍ〜１０μｍの範囲であり、かつ前記シリカナノ粒子の粒径が５００ｎｍ以下である、前記〔２１〕に記載の表面多孔質シリカ粒子。
〔２３〕前記〔２０〕〜〔２２〕のいずれか一項に記載の表面多孔質粒子から作られる、液体クロマトグラフィ用の固定相。
【手続補正書】
【提出日】平成27年10月26日(2015.10.26)
【手続補正１】
【補正対象書類名】特許請求の範囲
【補正対象項目名】全文
【補正方法】変更
【補正の内容】
【特許請求の範囲】
【請求項１】
シリル化ポリエーテルポリマーと可塑剤とを含むアスファルト基板用組成物であって、
前記可塑剤は、分子量が約３０００ｇ／モル未満であり、オキシジエチレンジベンゾアート、グリセロールトリアセタート、ポリエーテルポリオール、及び、いずれかの混合物からなる群から選択され、
前記組成物をアスファルト含有基板の表面に塗布又は貼付した場合、約６０℃までの高温での基板の軟化を抑えるアスファルト基板用組成物。
【請求項２】
アスファルト基板用シール剤組成物である請求項１記載の組成物。
【請求項３】
アスファルト基板用接着剤組成物である請求項１記載の組成物。
【請求項４】
アスファルト基板用塗料組成物である請求項１記載の組成物。
【請求項５】
前記可塑剤は、オキシジエチレンジベンゾアートからなる、請求項１記載の組成物。
【請求項６】
前記可塑剤は、グリセロールトリアセタートからなる、請求項１記載の組成物。
【請求項７】
前記可塑剤は、ポリエーテルポリオールからなる、請求項１記載の組成物。
【請求項８】
（ａ）オキシジエチレンジベンゾアート、グリセロールトリアセタート、ポリエーテルポリオール、及び、それらのいずれかの混合物からなる群から選択される可塑剤を約５〜約３０重量％、
（ｂ）シリル化ポリエーテルポリマーを約１０〜約６０重量％、及び、
（ｃ）炭酸カルシウム充填剤、接着促進剤、顔料、ＵＶ添加剤及び乾燥剤を含む添加剤を約５〜約８５重量％
含む請求項１記載の組成物。
【請求項９】
１以上の基板表面に請求項８記載の組成物の層を有するアスファルト含有基板。
【請求項１０】
アスファルト含有基板に組成物を塗布又は貼付する方法であって、アスファルト含有基板に組成物を塗布又は貼付して１以上の層を形成することを含み、
前記組成物は
（ａ）オキシジエチレンジベンゾアート、グリセロールトリアセタート、ポリエーテルポリオール、及び、それらのいずれかの混合物からなる群から選択される可塑剤を約５〜約３０重量％、
（ｂ）シリル化ポリエーテルポリマーを約１０〜約６０重量％、及び、
（ｃ）炭酸カルシウム充填剤、接着促進剤、顔料、ＵＶ添加剤及び乾燥剤を含む添加剤を約５〜約８５重量％
含むものであり、
前記組成物をアスファルト含有基板表面に塗布又は貼付することで、約６０℃までの高温での前記アスファルト含有基板の軟化を抑えるものである、方法。
【請求項１１】
シリル化ポリエーテルポリマー及び可塑剤から実質的になるアスファルト基板用組成物であって、
前記可塑剤は、分子量が約３０００ｇ／モル未満であり、グリセロールトリアセタートからなり、
組成物をアスファルト含有基板の表面に塗布又は貼付した場合、約６０℃までの高温での基板の軟化を抑えるアスファルト基板用組成物。
【請求項１２】
（ａ）グリセロールトリアセタートからなる可塑剤を約５〜約３０重量％、
（ｂ）シリル化ポリエーテルポリマーを約１０〜約６０重量％、及び、
（ｃ）炭酸カルシウム充填剤、接着促進剤、顔料、ＵＶ添加剤及び乾燥剤を含む添加剤を約５〜約８５重量％
から実質的になる請求項１１記載の組成物。
【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
パラメータを測定するための医療センサを含む医療機器において、前記医療センサは、
ポリイミドを含む第１誘電層と、
前記第１誘電層の上にある第１導電性領域と、
前記第１誘電層の下にある第２導電性領域と、
前記第１導電性領域の上にある第２誘電層と、
前記第２誘電層の上にある第１シールド領域と、
前記第２導電性領域の下にある第３誘電層と、
前記第３誘電層の下にある第２シールド領域と、
を含み、
前記パラメータの変化は、前記第１誘電層の変化を発生させるように構成される、
ことを特徴とする医療機器。
【請求項２】
前記第２誘電層または前記第３誘電層の少なくとも１つはポリイミドを含み、前記医療センサは、前記パラメータの前記変化が前記第１誘電層の前記変化および前記第２誘電層または前記第３誘電層の少なくとも１つの変化を発生させるように構成されること、
前記第１導電性領域および前記第２導電性領域は共に電気的に結合されること、
前記第１シールド領域および前記第２シールド領域は共に電気的に結合されること、
前記医療センサは静電容量を含み、前記静電容量は少なくとも前記第１誘電層の前記変化により変化すること、および、
前記医療センサは、装具構成要素、ツール、器具または機器に結合されるように構成されること、
のうちの少なくとも１つを含むことを特徴とする請求項１記載の医療機器。
【請求項３】
少なくとも１つの関節表面を有する第１の構造と、
骨に結合するように構成された主表面を有する第２の構造であって、前記第１の構造および前記第２の構造は、前記医療センサのためのハウジングを形成するために共に結合されるように構成される、第２の構造と、
を含み、
前記医療センサは、前記ハウジング内に封止される、
ことを特徴とする請求項１記載の医療機器。
【請求項４】
前記医療センサの前記第１導電性領域に結合された信号発生器と、
前記信号発生器に結合されたデジタル計数器と、
前記信号発生器に結合されたデジタルタイマと、
前記デジタルタイマに結合されたデータレジスタと、をさらに含み、
前記信号発生器は、前記医療センサの静電容量に対応する信号を出力するように構成され、
前記信号発生器は、前記医療センサの前記静電容量に対応する測定サイクルを有する波形を出力するように構成され、前記信号は前記波形を含み、
測定シーケンス中、前記デジタル計数器は、測定サイクルをカウントするように構成され、前記測定サイクルは前記波形の前記測定サイクルを含み、
前記デジタル計数器が前記測定サイクルの既定カウントをカウント後に、前記測定シーケンスが終了し、前記デジタルタイマは、前記測定シーケンスの所要時間を測定するように構成され、
前記データレジスタは、前記測定サイクルの前記既定カウントおよび測定された前記測定シーケンスの前記所要時間から計算された数値を格納し、
前記パラメータの測定精度は、前記測定サイクルの前記既定カウントを上げることによって増加される、
ことを特徴とする請求項１記載の医療機器。
【請求項５】
前記パラメータの変化は、前記医療センサの前記静電容量の変化を発生させること、
前記医療センサは、筋肉・骨格系に結合され、かつ力、圧力または荷重の少なくとも１つを受信するように構成されること、および
前記信号発生器は、振動波形を発生させるように構成されること、
のうちの少なくとも１つを含むことを特徴とする請求項４記載の医療機器。
【請求項６】
装具構成要素をさらに含み、
前記医療センサは、前記装具構成要素に結合され、前記筋肉・骨格系によって前記装具構成要素に力、圧力または荷重の少なくとも１つが加えられると、前記医療センサは弾性的に圧縮するように構成される、
ことを特徴とする請求項１記載の医療機器。
【請求項７】
前記医療センサに結合され、測定データを受信し、かつ前記測定データを送信する電子回路と、
前記電子回路に結合された電源と、をさらに含み、
前記電子回路および前記電源は、前記装具構成要素内に収容される、
ことを特徴とする請求項６記載の医療機器。
【請求項８】
前記医療センサは、非平面表面に合致するように構成されることを特徴とする請求項１記載の医療機器。
【手続補正書】
【提出日】平成27年10月13日(2015.10.13)
【手続補正１】
【補正対象書類名】特許請求の範囲
【補正対象項目名】全文
【補正方法】変更
【補正の内容】
【特許請求の範囲】
【請求項１】
ホログラフィ式にレンダリングされた解剖学的画像を表示するホログラフィ生成モジュールと、
前記ホログラフィ式にレンダリングされた解剖学的画像の上又は周囲に、監視される空間を画定する位置特定システムと、
前記位置特定システムによって位置及び向きが監視される、ユーザの解剖学的部位又はバーチャル物体を含む、１つ又は複数の監視される物体とを備え、これにより、前記監視される空間と前記１つ又は複数の監視される物体との間の空間点の合致が、前記ホログラフィ式にレンダリングされた解剖学的画像での応答をトリガし、
前記位置特定システムは、前記監視される空間と前記１つ又は複数の監視される物体との前記位置及び向きを同じ座標系内で決定するために、光ファイバ形状感知システム、電磁追跡システム、及び光センサアレイの１つ又は複数を含む、
対話型ホログラフィディスプレイシステム。
【請求項２】
前記ホログラフィ式にレンダリングされた解剖学的画像での前記応答が、前記ホログラフィ式にレンダリングされた解剖学的画像の並進又は回転、及び前記ホログラフィ式にレンダリングされた解剖学的画像の倍率調節の１つ又は複数を含む、請求項１に記載のシステム。
【請求項３】
前記ホログラフィ式にレンダリングされた解剖学的画像が、前記ホログラフィ式にレンダリングされた解剖学的画像上の位置にマッピングされた重畳された医療データを表示する、請求項１に記載のシステム。
【請求項４】
前記ホログラフィ式にレンダリングされた解剖学的画像での前記応答が、ロボット工学的に制御された器具を操作するための制御信号を生成する、請求項１に記載のシステム。
【請求項５】
前記ホログラフィ式にレンダリングされた解剖学的画像での前記応答が、追加の表示のためにバーチャルカメラ角度を方向付けるように配置されたシードポイントを含む、請求項１に記載のシステム。
【請求項６】
前記対話型ホログラフィディスプレイシステムが、前記患者位置から遠隔に配設され、通信ネットワークを介して前記患者位置に接続され、それにより、前記ホログラフィ式にレンダリングされた解剖学的画像が、前記患者の位置にある器具を遠隔で制御するように採用される、請求項１に記載のシステム。
【請求項７】
さらに、前記ホログラフィ式にレンダリングされた解剖学的画像の外観を変えるためのコマンドに音声コマンドを変換する音声認識エンジンを備える、請求項１に記載のシステム。
【請求項８】
処理装置と、
前記処理装置に結合されたメモリと、
前記メモリ内に含まれ、ホログラフィ式にレンダリングされた解剖学的画像を、空気中ホログラムとして表示する、又はホログラフィディスプレイ上に表示するホログラフィ生成モジュールと、
前記ホログラフィ式にレンダリングされた解剖学的画像の上又は周囲に、監視される空間を画定する位置特定システムと、
前記位置特定システムによって位置及び向きが監視される、ユーザの解剖学的部位又はバーチャル物体を含む、１つ又は複数の監視される物体とを備え、これにより、監視される空間と前記１つ又は複数の監視される物体との間の空間点の合致が、前記ホログラフィ式にレンダリングされた解剖学的画像での応答をトリガし、前記ホログラフィ式にレンダリングされた解剖学的画像での前記応答が、前記ホログラフィ式にレンダリングされた解剖学的画像の並進又は回転、及び前記ホログラフィ式にレンダリングされた解剖学的画像の倍率調節の１つ又は複数を含み、
前記位置特定システムが、前記監視される空間と前記１つ又は複数の監視される物体との前記位置及び向きを同じ座標系内で決定するために、光ファイバ形状感知システム、電磁追跡システム、及び光センサアレイの１つ又は複数を含む、
対話型ホログラフィディスプレイシステム。
【請求項９】
前記ホログラフィ式にレンダリングされた解剖学的画像が、前記ホログラフィ式にレンダリングされた解剖学的画像上の位置にマッピングされた重畳された医療データを表示する、請求項８に記載のシステム。
【請求項１０】
前記ホログラフィ式にレンダリングされた解剖学的画像での前記応答が、ロボット工学的に制御された器具を操作するための制御信号を生成する、請求項８に記載のシステム。
【請求項１１】
前記ホログラフィ式にレンダリングされた解剖学的画像での前記応答が、追加の表示のためにバーチャルカメラ角度を方向付けるように配置されたシードポイントを含む、請求項８に記載のシステム。
【請求項１２】
さらに、前記ホログラフィ式にレンダリングされた解剖学的画像の外観を変えるためのコマンドに音声コマンドを変換する音声認識エンジンを備える、請求項８に記載のシステム。
【請求項１３】
ホログラフィディスプレイと対話するための方法であって、
ホログラフィ式にレンダリングされた解剖学的画像を表示するステップと、
光ファイバ形状感知システム、電磁追跡システム、及び光センサアレイの１つ又は複数を含む位置特定システムによって、対話のための領域を画定するために、監視される空間を、前記ホログラフィ式にレンダリングされた解剖学的画像の上又は周囲で位置特定するステップと、
前記位置特定システムによって、ユーザの解剖学的部位又はバーチャル物体を含む、１つ又は複数の監視される物体の位置及び向きを監視するステップと、
監視される空間と１つ又は複数の監視される物体との間で空間点の合致を決定するステップと、
合致が決定された場合、前記ホログラフィ式にレンダリングされた解剖学的画像での応答をトリガするステップと
を含む、方法。
【請求項１４】
応答をトリガするステップが、前記ホログラフィ式にレンダリングされた解剖学的画像を動かすステップ、及び前記ホログラフィ式にレンダリングされた解剖学的画像のズームを調節するステップの１つ又は複数を含む、請求項１３に記載の方法。
【請求項１５】
さらに、前記ホログラフィ式にレンダリングされた解剖学的画像を、前記ホログラフィ式にレンダリングされた解剖学的画像上の位置にマッピングされた重畳された医療データと共にレンダリングするステップを含む、請求項１３に記載の方法。
【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
メタンの水蒸気改質用の触媒組成物であって、成分ａ）としての、ニッケルと、アルミニウム、マグネシウム、ケイ素及びジルコニウムからなる群から選ばれる少なくとも一種の他の元素との複合酸化物を含むニッケル触媒と、成分ｂ）としての、水酸化アルミニウム［Ａｌ（ＯＨ）３］、水酸化酸化アルミニウム［ＡｌＯ（ＯＨ）］及び酸化アルミニウム（Ａｌ２Ｏ３）からなる群から選ばれる他の酸素含有アルミニウム化合物を含み、該触媒組成物が成分ａ）とｂ）の物理的混合物である触媒組成物。
【請求項２】
ニッケル、アルミニウム及びジルコニウムの複合酸化物を成分ａ）として含む請求項１に記載の触媒組成物。
【請求項３】
ガンマ−酸化アルミニウム（γ−Ａｌ２Ｏ３）、デルタ−酸化アルミニウム（δ−Ａｌ２Ｏ３）またはシータ−酸化アルミニウム（θ−Ａｌ２Ｏ３）またはこれらの混合物を成分ｂ）として含む請求項１または２に記載の触媒組成物。
【請求項４】
成分ｂ）が、触媒組成物の総量に対して１〜６０質量％の量で存在する請求項１〜３のいずれか一項に記載の触媒組成物。
【請求項５】
成分ａ）とｂ）が粉末状粒子として存在する請求項１〜４のいずれか一項に記載の触媒組成物。
【請求項６】
成分ａ）の粒子の粒度のｄ５０が０．５〜１５００μｍであり、成分ｂ）の粒子の粒度のｄ５０が０．３〜５００μｍである請求項５に記載の触媒組成物。
【請求項７】
成分ａ）のＢＥＴ表面積が２０〜３００ｍ２／ｇの範囲であり、成分ｂ）のＢＥＴ表面積が２０〜４００ｍ２／ｇの範囲である請求項５に記載の触媒組成物。
【請求項８】
請求項１〜７のいずれか一項に記載の触媒組成物を含む触媒材料であって、ペレットまたは押出物に加工された材料。
【請求項９】
バインダーと潤滑剤と他の加工助剤とは別に、実質的に、ａ）ニッケル、アルミニウム及びジルコニウムの複合酸化物と、ｂ）ガンマ−酸化アルミニウム（γ−Ａｌ２Ｏ３）、デルタ−酸化アルミニウム（δ−Ａｌ２Ｏ３）またはシータ−酸化アルミニウム（θ−Ａｌ２Ｏ３）またはこれらの混合物とから実質歴に構成されるペレット状の請求項８に記載の触媒材料。
【請求項１０】
直径が０．８〜５の範囲であり、高さが１〜１０ｍｍの範囲である請求項９に記載の触媒ペレット。
【請求項１１】
請求項１〜７のいずれか一項に記載の触媒組成物の製造方法であって、以下の加工工程をその順で含む方法：
ａ）成分ａ）及び／又はその可溶性出発化合物の溶液または分散液の製造；
ｂ）塩基の添加による該溶液または分散液からの固体の析出；
ｃ）該固体の分離と乾燥；
ｄ）必要なら、該固体の焼成；
ｅ）必要なら、該固体の圧密化；
ｆ）該固体の均一な粒度への粉砕
ｇ）該固体と成分ｂ）の均一な混合。
【請求項１２】
相当する触媒組成物の粉末または顆粒の打錠または押出成型による請求項８〜１０のいずれか一項に記載の触媒材料の製造方法。
【請求項１３】
ペレットの製造に偏心型プレスまたはロータリープレスが用いられる請求項１２に記載の方法。
【請求項１４】
請求項８〜１０のいずれか一項に記載の触媒材料の燃料電池中の改質触媒としての利用。
【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
（ａ）入口面及び出口面を有する多孔質基材を含む表面保護処理されていないセラミックウォールフローフィルター；及び
（ｂ）多孔質基材入口面、出口面、及び前記入口面と出口面との間の少なくとも一においてコーティングされたＳＣＲ触媒組成物であって、ここで該触媒組成物が、遷移金属で促進されたモレキュラーシーブ結晶を含み、ここで、
（ｉ）前記結晶が、約０．５μｍ〜約１５μｍの平均結晶サイズを有し；
（ｉｉ）前記結晶が、前記組成物中に、個々の結晶として、約１５μｍ未満の平均粒径を有するアグロメレーションとして、又は前記個々の結晶及び前記アグロメレーションの組み合わせとして存在し； 
（ｉｉｉ）前記結晶が、８個の正四面体原子の最大環サイズを有するフレームワークタイプのアルミノシリケート又はシリコアルミノホスフェートであり；及び
（ｉｖ）前記ＳＣＲ触媒組成物が、カルボン酸を実質的に含まない、組成物
を含むフィルター物品。
【請求項２】
前記結晶が、ＣＨＡ、ＡＥＩ、ＡＦＴ、又はＡＦＸフレームワークタイプを有し、前記遷移金属が、Ｃｕ及びＦｅの少なくとも一つから選択される、請求項１に記載のフィルター物品。
【請求項３】
前記結晶が、アルミノシリケートであり、約１５〜約５０のシリカ対アルミナ比を有する、請求項２に記載のフィルター物品。
【請求項４】
前記平均結晶サイズが、約１．５μｍ〜約５μｍである、請求項１に記載のフィルター物品。
【請求項５】
前記ウォッシュコートが、中間の非触媒コーティングを用いず多孔質基材に直接適用される、請求項１に記載のフィルター物品。
【請求項６】
前記多孔質基材が、平均孔サイズを有し、平均孔サイズと平均結晶サイズとの比が、約３：１〜約２０：１である、請求項１に記載のフィルター物品。
【請求項７】
前記セラミックウォールフローモノリスが、触媒を含まないサブミクロンの熱膨張ジョイントを含む、請求項１に記載のフィルター物品。
【請求項８】
フィルター物品が、表面保護処理層を除去又は炭化するための３５０℃を超える温度での熱処理は行われていない、請求項７に記載のフィルター物品。
【請求項９】
前記多孔質基材が、支配的な結晶性相としてアルミニウムチタネートを有するセラミックウォールフローモノリスである、請求項１に記載のフィルター物品。
【請求項１０】
ａ．ｉ．入口面及び出口面を有する多孔質基材；及び
ｉｉ．多孔質基材の入口面、出口面、及び前記入口面と出口面との間の少なくとも一においてコーティングされたＳＣＲ触媒組成物であって、ここで触媒組成物が、遷移金属で促進されたモレキュラーシーブ結晶を含み、ここで、前記結晶が、約０．５μｍ〜約１５μｍの平均結晶サイズを有し、前記結晶が、前記組成物中に、個々の結晶として、約１５μｍ未満の平均粒径を有するアグロメレーションとして、又は前記個々の結晶及び前記アグロメレーションの組み合わせとして存在し、及び前記モレキュラーシーブが、８個の正四面体原子の最大環サイズを有するフレームワークタイプのアルミノシリケート又はシリコアルミノホスフェートである、組成物
を含む表面保護処理されていない触媒ウォールフローフィルター、
ｂ．粒子状物質及びＮＯｘを含む希薄燃焼排気ガスの供給源とウォールフローフィルターとを連結する導管、並びに
ｃ．還元体を希薄燃焼排気ガスに導入するための還元体供給システムであって、該還元体供給システムが、触媒ウォールフローフィルターと流体連通しており、フィルターを通るガスフローに対して触媒ウォールフローフィルターの上流に配設されているシステム
を有する、排気ガス処理システム。
【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
３００μｍまたはそれ未満の粒度を持つ乾燥粉末を含む自滑性コーティングを、１またはそれ以上の表面に含むコンドームであって、
前記自滑性コーティングは、前記コーティングが液体環境と接触すると潤滑性となる、前記コンドーム。
【請求項２】
前記自滑性コーティングが、乾燥状態にある場合には、実質的に非潤滑性である、請求項１記載のコンドーム。
【請求項３】
前記液体環境が、水性または水性ベースである、請求項１又は２に記載のコンドーム。
【請求項４】
前記コーティングが乾燥している、請求項１〜３の何れかに記載のコンドーム。
【請求項５】
前記コンドームが乾燥している、請求項１〜４の何れかに記載のコンドーム。
【請求項６】
前記コーティングが、前記乾燥粉末から本質的になる、請求項１〜５の何れかに記載のコンドーム。
【請求項７】
前記乾燥粉末が、水溶性である、請求項１〜６の何れかに記載のコンドーム。
【請求項８】
前記乾燥粉末が、ザンタンガムを含む、またはザンタンガムからなる、請求項１〜７の何れかに記載のコンドーム。
【請求項９】
前記乾燥粉末が、１種またはそれ以上の多糖類、プルラン、１種またはそれ以上のポリアクリルアミド、カラギーナン、アロエベラ、または上記物質の２種またはそれ以上の混合物を含むか、あるいは、１種またはそれ以上の多糖類、プルラン、１種またはそれ以上のポリアクリルアミド、カラギーナン、アロエベラ、または上記物質の２種またはそれ以上の混合物からなる、請求項１〜８の何れかに記載のコンドーム。
【請求項１０】
前記多糖類が、１０ＫＤａまたはこれを超える分子量を持つ、高分子量の多糖類である、請求項９記載のコンドーム。
【請求項１１】
前記乾燥粉末が、２００μｍまたはそれ未満の粒度を持つ、請求項１〜１０の何れかに記載のコンドーム。
【請求項１２】
前記乾燥粉末が、１００μｍまたはそれ未満の粒度を持つ、請求項１〜１１の何れかに記載のコンドーム。
【請求項１３】
前記コンドームが、潤滑剤を含まない、請求項１〜１２の何れかに記載のコンドーム。
【請求項１４】
前記コンドームが、油性潤滑剤または水性潤滑剤を含まない、請求項１〜１３の何れかに記載のコンドーム。
【請求項１５】
前記コーティングの質量が、コンドーム１個当たり０．００５ｇ〜０．５ｇなる範囲にある、請求項１〜１４の何れかに記載のコンドーム。
【請求項１６】
前記コーティングが、１種またはそれ以上の増進活性物質を含む、請求項１〜１５の何れかに記載のコンドーム。
【請求項１７】
前記増進活性物質が粉末形状にある、請求項１６記載のコンドーム。
【請求項１８】
前記増進活性物質が、減感薬及び血管拡張神経薬から選択される性能増進活性物質である、請求項１６または１７記載のコンドーム。
【請求項１９】
前記増進活性物質が、知覚作用活性物質（冷感、ヒリヒリ感、又は温感の知覚認識を与える）である、請求項１６または１７記載のコンドーム。
【請求項２０】
前記増進活性物質が、香味増進活性物質である、請求項１６または１７記載のコンドーム。
【請求項２１】
乾燥コンドームを準備する工程および該コンドームを、その１またはそれ以上の表面において、乾燥粉末を含有する自滑性のコーティングで被覆する工程を含む、自滑性コンドームの製造方法。
【請求項２２】
前記コーティングが、請求項２〜２０の何れか１項において定義された如きコーティングである、請求項２１記載の方法。
【請求項２３】
前記コンドームを被覆する工程が、前記乾燥コンドームを、前記乾燥粉末を含むコーティングでタンブリング処理することを含む、請求項２１または２２記載の方法。
【請求項２４】
前記タンブリングが、乾式タンブリングである、請求項２３記載の方法。
【請求項２５】
前記タンブリングが、１５〜４５分なる範囲の期間に渡り行われる、請求項２１〜２４の何れか１項に記載の方法。
【請求項２６】
前記コンドームを被覆する工程が、静電吹付法、粉末フロック法または該コンドーム表面に乾燥粉末を塗布するのに利用される任意の他の適用法を含む、請求項２１または２２記載の方法。
【請求項２７】
前記乾燥粉末を、コンドーム１，０００個当たり、５ｇ〜５００ｇなる範囲の量で使用する、請求項２１〜２６の何れか１項に記載の方法。
【請求項２８】
請求項１〜２０の何れか１項に記載のコンドームを含む、パッケージ。
【請求項２９】
ホイルパッケージである、請求項２８記載のパッケージ。
【請求項３０】
前記パッケージが、液体またはゲル様の状態にある如何なる潤滑剤をも含まない、請求項２８または２９記載のパッケージ。
【請求項３１】
前記パッケージが、更に液体またはゲル様潤滑剤をも含む、請求項２８または２９記載のパッケージ。
【請求項３２】
コンドーム用の自滑性コーティングを得るための、乾燥粉末の使用。
【請求項３３】
前記自滑性コーティングは、液体環境と接触すると潤滑性となる、請求項３２記載の使用。
【請求項３４】
前記自滑性コーティングが、乾燥状態にある場合には、実質的に非潤滑性である、請求項３２または３３記載の使用。
【請求項３５】
前記乾燥粉末が、ザンタンガムを含むか、あるいはザンタンガムからなる、請求項３２〜３４の何れか１項に記載の使用。
【請求項３６】
前記乾燥粉末が、１種またはそれ以上の多糖類、プルラン、１種またはそれ以上のポリアクリルアミド、カラギーナン、アロエベラ、または上記物質の２種またはそれ以上の混合物を含むか、あるいは１種またはそれ以上の多糖類、プルラン、１種またはそれ以上のポリアクリルアミド、カラギーナン、アロエベラ、または上記物質の２種またはそれ以上の混合物からなる、請求項３２〜３５の何れか１項に記載の使用。
【手続補正書】
【提出日】平成27年11月2日(2015.11.2)
【手続補正１】
【補正対象書類名】特許請求の範囲
【補正対象項目名】全文
【補正方法】変更
【補正の内容】
【特許請求の範囲】
【請求項１】
胚およびデンプンを含むコムギ穀粒において、当該胚がＳＢＥＩＩａ−Ａ遺伝子の２つの同一対立遺伝子、ＳＢＥＩＩａ−Ｂ遺伝子の２つの同一対立遺伝子およびＳＢＥＩＩａ−Ｄ遺伝子の２つの同一対立遺伝子を含み、当該ＳＢＥＩＩａ遺伝子の各々が、ある量のタンパク質（ｗ／ｗ）または対応する野生型遺伝子よりも低いデンプン分岐酵素ＩＩａ（ＳＢＥＩＩａ）活性を有するタンパク質を生み出し、当該穀粒中のＳＢＥＩＩａタンパク質の量または活性が野生型コムギ穀粒中のＳＢＥＩＩａタンパク質の量または活性の２％未満であり、当該遺伝子の少なくとも１つが点変異を含み、前記デンプンがアミロースを含み、穀粒の抽出可能デンプンの比率として穀粒が少なくとも５０％（ｗ／ｗ）のアミロース含有量を含むことを特徴とするコムギ穀粒。
【請求項２】
請求項１に記載の穀粒において、ウエスタンブロット分析で測定したＳＢＥＩＩａタンパク質を１個のみ有し、当該タンパク質がＳＢＥＩＩａ−Ａ，ＳＢＥＩＩａ−ＢおよびＳＢＥＩＩａ−Ｄ遺伝子の１つによりコードされ、前記対応する野生型遺伝子がコードするＳＢＥＩＩａタンパク質と比較して低減した発生中の内胚乳中で生産されたデンプン分岐酵素活性を有することを特徴とする穀粒。
【請求項３】
請求項１に記載の穀粒において、前記ＳＢＥＩＩａ−Ａ遺伝子の２つの同一対立遺伝子がヌル対立遺伝子であり、前記ＳＢＥＩＩａ−Ｂ遺伝子の２つの同一対立遺伝子がヌル対立遺伝子であり、および前記ＳＢＥＩＩａ−Ｄ遺伝子の２つの同一対立遺伝子がヌル対立遺伝子であり、前記穀粒がウエスタンブロット分析で検出可能なＳＢＥＩＩａタンパク質を欠くことを特徴とする穀粒。
【請求項４】
請求項１乃至３の何れか１項に記載の穀粒が、前記ＳＢＥＩＩａ−ＢおよびＳＢＥＩＩａ−Ｄ遺伝子の少なくとも一部をそれぞれ欠失したＢおよびＤゲノム中の欠失変異であるヌル対立遺伝子を有し、前記ＳＢＥＩＩａ−Ａ遺伝子が点変異を含む；または前記ＳＢＥＩＩａ−ＡおよびＳＢＥＩＩａ−Ｄ遺伝子の少なくとも一部をそれぞれ欠失したＡおよびＤゲノム中の欠失変異であるヌル対立遺伝子を有し、前記ＳＢＥＩＩａ−Ｂ遺伝子が点変異を含む；または前記ＳＢＥＩＩａ−ＡおよびＳＢＥＩＩａ−Ｂ遺伝子の少なくとも一部をそれぞれ欠失したＡおよびＢゲノム中の欠失変異であるヌル対立遺伝子を有し、前記ＳＢＥＩＩａ−Ｄ遺伝子が点変異を含むことを特徴とする穀粒。
【請求項５】
請求項１乃至３の何れか１項に記載の穀粒において、前記胚が、発生中の内胚乳中で生産された場合に１つのＳＢＥＩＩｂ遺伝子のヌル対立遺伝子およびデンプン分岐酵素活性を有するＳＢＥＩＩｂタンパク質を２個のみ、または、ウエスタンブロット分析で検出できるＳＢＥＩＩｂタンパク質を２個のみ、更に含むことを特徴とする穀粒。
【請求項６】
請求項１乃至３の何れか１項に記載の穀粒において、前記胚が、発生中の内胚乳中で生産された場合に２つのＳＢＥＩＩｂ遺伝子のヌル対立遺伝子およびデンプン分岐酵素活性を有するＳＢＥＩＩｂタンパク質を１個のみ、または、ウエスタンブロット分析で検出できるＳＢＥＩＩｂタンパク質を１個のみ、更に含むことを特徴とする穀粒。
【請求項７】
請求項１乃至６の何れか１項に記載の穀粒において、ＳＢＥＩＩａ−Ｂ遺伝子の少なくとも一部およびＳＢＥＩＩｂ−Ｂ遺伝子の少なくとも一部を欠く、好ましくはＳＢＥＩＩａ−Ｂ遺伝子および／またはＳＢＥＩＩｂ−Ｂ遺伝子の全体を欠く、Ｂゲノム中に欠失変異であるヌル変異を含む；または、ＳＢＥＩＩａ−Ｄ遺伝子の少なくとも一部およびＳＢＥＩＩｂ−Ｄ遺伝子の少なくとも一部を欠く、好ましくはＳＢＥＩＩａ−Ｄ遺伝子および／またはＳＢＥＩＩｂ−Ｄ遺伝子の全体を欠く、Ｄゲノム中に欠失変異であるヌル変異を含む；または、ＳＢＥＩＩａ−Ａ遺伝子の少なくとも一部およびＳＢＥＩＩｂ−Ａ遺伝子の少なくとも一部を欠く、好ましくはＳＢＥＩＩａ−Ａ遺伝子および／またはＳＢＥＩＩｂ−Ａ遺伝子の全体を欠く、Ｂゲノム中に欠失変異であるヌル変異を含む；ことを特徴とする穀粒。
【請求項８】
請求項１乃至７の何れか１項に記載の穀粒において、当該穀粒の発芽率が野生型穀粒の発芽率の約７０％から約９０％、または約９０％から約１００％であることを特徴とする穀粒。
【請求項９】
請求項１乃至８の何れか１項に記載の穀粒が、当該穀粒の抽出可能なデンプンの比率としてアミロース含有量が少なくとも６０％（ｗ／ｗ）または少なくとも６７％（ｗ／ｗ）であることを特徴とする穀粒。
【請求項１０】
請求項１乃至９の何れか１項に記載の穀粒が、非遺伝子組み換え穀粒である、またはＳＢＥＩＩａ遺伝子の発現を低下させるＲＮＡをコードするいかなる外来性核酸も有さないことを特徴とする穀粒。
【請求項１１】
請求項１乃至１０の何れか１項に記載の穀粒において、当該穀粒のデンプンが、
（ｉ）少なくとも２％の難消化性デンプンを含む；
（ｉｉ）低い相対血糖指数（ＧＩ）を含む；
（ｉｉｉ）低い相対アミロペクチンレベルを含む；
（ｉｖ）デンプン顆粒の歪み；
（ｖ）顆粒複屈折の低下；
（ｖｉ）膨潤体積の低下；
（ｖｉｉ）鎖長分布および／または分岐発生頻度の変化；
（ｖｉｉｉ）糊化温度およびより高いピーク温度の終了遅延；
（ｉｘ）粘度低下（ピーク粘度、糊化開始温度など）；
（ｘ）アミロペクチンの分子量増大；および
（ｘｉ）野生型コムギデンプン顆粒またはデンプンに対する、％結晶化度、％Ａ型またはＢ型デンプンの変化
からなる群から選択される、１つまたは２つ以上によって特徴付けられることを特徴とする穀粒。
【請求項１２】
請求項１乃至１１の何れか１項に記載の穀粒を産生するコムギ植物が繁殖可能な雌雄であることを特徴とするコムギ植物。
【請求項１３】
請求項１乃至１１の何れか１項に記載の穀粒から生産することを特徴とする全麦または小麦粉。
【請求項１４】
請求項１乃至１１の何れか１項に記載の穀粒、または請求項１３に記載の全麦または小麦粉を含むことを特徴とする食品原材料。
【請求項１５】
食品または飲料製品が、乾燥重量で少なくとも１０％レベルの食品または飲料原材料を含み、当該原材料が請求項１乃至１１の何れか１項に記載のコムギ穀粒、または請求項１３に記載の全麦または小麦粉であることを特徴とする食品または飲料製品。
【請求項１６】
食料または飲料を生産する工程において、（ｉ）請求項１乃至１１の何れか１項に記載の穀粒を得るステップと；（ｉｉ）当該穀粒を加工して食料または飲料原材料を生産するステップと；（ｉｉｉ）ステップｉｉからの食品または飲料原材料を別の食料または飲料原材料に加えて当該食料または飲料を生産するステップと；を具えることを特徴とする工程。
【請求項１７】
穀粒を生産する工程において、（ｉ）請求項１２に記載のコムギ植物を得るステップと；（ｉｉ）当該植物からコムギ穀粒を収穫するステップ、および（ｉｉｉ）選択的に当該穀粒を加工するステップと；を具えることを特徴とする工程。
【請求項１８】
デンプンを生産する工程において、（ｉ）請求項１乃至１１の何れか１項に記載のコムギ穀粒を得るステップと；および（ｉｉ）当該穀粒よりデンプンを抽出してデンプンを生産するステップと；を具えることを特徴とする工程。
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
血管内のアクセス形成およびガイドワイヤ配置用の器具であって、
第１のルーメンを有する本体と、
前記第１のルーメンに配置され、且つ前記第１のルーメンから遠位側に移動するとともにこの遠位側への移動時に組織を貫通するように構成される穿刺部材であって、同穿刺部材は、その一端に尖端を有するとともに前記第１のルーメン内に格納可能である、穿刺部材と、
前記本体に取り付けられるとともに、前記穿刺部材を移動させるためのアクチュエータを有する取っ手と、
前記穿刺部材内の第２のルーメンと、
前記本体内且つ前記第１のルーメンの外側の第３のルーメンと、
前記第２のルーメンの遠位端から所望の部位に輸送するための、前記第２のルーメン内に配置されるガイドワイヤとを備え、
前記第１のルーメンは、形状記憶特性を有する針ガイドによって形成され、同針ガイドは、該針ガイドに漸増的に調整可能な曲率半径を形成するように前記本体の位置を調整することによって湾曲した配向に駆動可能であることを特徴とする血管内のアクセス形成およびガイドワイヤ配置用の器具。
【請求項２】
前記穿刺部材は形状記憶特性を有するとともに、漸増的に調整可能な曲率半径を形成するために駆動可能であることを特徴とする請求項１に記載の器具。
【請求項３】
前記アクチュエータは摺動部を含むことを特徴とする請求項１に記載の器具。
【請求項４】
湾曲した配向に針ガイドを駆動するための、アクチュエータを前記取っ手にさらに含むことを特徴とする請求項１に記載の器具。
【請求項５】
前記アクチュエータは回転ノブを含むことを特徴とする請求項４に記載の器具。
【請求項６】
前記第１のルーメンは非外傷性の先端を有する針ガイドによって形成されることを特徴とする請求項１に記載の器具。
【請求項７】
前記針ガイドは、鈍い壁部を有する非外傷性の先端を含み、同先端における前記壁部は、前記非外傷性の先端よりも近位側の前記針ガイドを形成する壁部の厚みよりも大きい厚みを有することを特徴とする請求項１に記載の器具。
【請求項８】
前記非外傷性の先端は放射線不透過性の材料を含むことを特徴とする請求項１に記載の器具。
【請求項９】
前記放射線不透過性の材料は、放射線不透過性の材料から形成される複数のコイルを含むことを特徴とする請求項８に記載の器具。
【請求項１０】
血管内のアクセス形成およびガイドワイヤ配置用の器具であって、
非外傷性の先端を有する針ガイドによって形成される第１のルーメンを有する本体と、
前記第１のルーメンに配置され、且つ前記第１のルーメンから遠位側に移動するとともにこの遠位側への移動時に組織を貫通するように構成される穿刺部材と、
前記本体に取り付けられるとともに、前記穿刺部材を移動させるためのアクチュエータを有する取っ手と、
前記穿刺部材内の第２のルーメンと、
前記第２のルーメンの遠位端から所望の部位に輸送するための、前記第２のルーメン内に配置されるガイドワイヤとを備え、
前記非外傷性の先端は高分子材料で形成されることを特徴とする血管内のアクセス形成およびガイドワイヤ配置用の器具。
【請求項１１】
前記非外傷性の先端は放射線不透過性の材料を含むことを特徴とする請求項１０に記載の器具。
【請求項１２】
前記放射線不透過性の材料は、放射線不透過性の材料から形成される複数のコイルを含むことを特徴とする請求項１１に記載の器具。
【請求項１３】
前記穿刺部材は、その一端に尖端を有することを特徴とする請求項１０に記載の器具。
【請求項１４】
前記本体内且つ前記第１のルーメンの外側に第３のルーメンをさらに備えることを特徴とする請求項１０に記載の器具。
【請求項１５】
前記穿刺部材は、前記第１のルーメン内に格納可能であることを特徴とする請求項１３に記載の器具。
【請求項１６】
前記第１のルーメンは、形状記憶特性を有する針ガイドによって形成され、同針ガイドは、該針ガイドに漸増的に調整可能な曲率半径を形成するように前記本体の位置を調整することによって湾曲した配向に駆動可能であることを特徴とする請求項１５に記載の器具。
【請求項１７】
前記尖端はランセットポイントおよび主斜角を含むことを特徴とする請求項１３に記載の器具。
【請求項１８】
前記穿刺部材は形状記憶特性を有するとともに、漸増的に調整可能な曲率半径を形成するために駆動可能であることを特徴とする請求項１０に記載の器具。
【請求項１９】
前記アクチュエータは摺動部を含むことを特徴とする請求項１５に記載の器具。
【請求項２０】
前記針ガイドの前記非外傷性の先端は鈍い壁部を有し、同先端の壁部は、前記非外傷性の先端よりも近位側の前記針ガイドを形成する壁部の厚みよりも大きい厚みを有することを特徴とする請求項１０に記載の器具。
【請求項２１】
血管内のアクセス形成およびガイドワイヤ配置用の器具であって、
非外傷性の先端を有する針ガイドによって形成される第１のルーメンを有する本体と、
前記第１のルーメンに配置され、且つ前記第１のルーメンから遠位側に移動するとともにこの遠位側への移動時に組織を貫通するように構成される穿刺部材と、
前記本体に取り付けられるとともに、前記穿刺部材を移動させるためのアクチュエータを有する取っ手と、
前記穿刺部材内の第２のルーメンと、
前記第２のルーメンの遠位端から所望の部位に輸送するための、前記第２のルーメン内に配置されるガイドワイヤとを備え、
前記非外傷性の先端は、放射線不透過性の材料から形成される複数のコイルを含むことを特徴とする血管内のアクセス形成およびガイドワイヤ配置用の器具。
【手続補正２】
【補正対象書類名】明細書
【補正対象項目名】００２８
【補正方法】変更
【補正の内容】
【００２８】
図４ａを参照して、一旦医師が最適な貫通となるように穿刺先端３６を所望に応じて配向すると、取っ手２のノブ４は主血管２４から主血管壁部４４を通して、且つ副血管壁部４６を通して副血管２６まで貫通するように前進される。これは、血管２６の流路を越えて延びることなく完全な貫通を確認するために、直接的な撮像誘導下で行われる。医師は、図１に示すようなルーメン２２を流れるとともに取っ手２の開口６から退出する血液の直接的な視覚化を通して受容可能な貫通を確認してもよい。
【手続補正３】
【補正対象書類名】明細書
【補正対象項目名】００３３
【補正方法】変更
【補正の内容】
【００３３】
実施形態ＡおよびＢ間の主な相違点は、実施形態Ｂにおいて、副ルーメン１４が取り払われていることにある。これは、本実施形態において、針ガイド３４の形状が調整可能ではないことによる。したがって、針ガイド３４は直線的な状態を保持し、超弾性材料から形成される必要はない。図３ｂに示すように、主血管および副血管の隣接した両血管壁部が穿刺部材を軸線方向に前進させることによって貫通するように、医師によって鈍い先端４０が操作されるため、この配置は可能である。この変更により、針ガイド３４の曲率の制御は必要ではないので、ノブ４も取り払われている。